(57)【要約】【課題】ポリ袋を簡単に取り出せて、円滑に袋詰作業が行えると共に、衛生的な箱入りポリ袋の提供を課題とする。【解決手段】多数枚のポリ袋４を、口を揃えて積み重ねた状態で包装箱２内に収容し、ポリ袋の口が対面する包装箱２の側板と、この側板の上辺に連続する天板とに、袋取出口３を形成する切り取り部を設け、側板の切り取り部を、少なくとも側板の上下全長に亘る二条の切り取り線によって形成した箱入りポリ袋１としたのである。【選択図】　図１
0003097114.tif 000002
【実用新案登録請求の範囲】
【請求項１】
多数枚のポリ袋を、口を揃えて積み重ねた状態で包装箱内に収容し、ポリ袋の口が対面する包装箱の側板と、この側板の上辺に連続する天板とに、袋取出口を形成する切り取り部を設け、側板の切り取り部を、少なくとも側板の上下全長に亘る二条の切り取り線によって形成した箱入りポリ袋。
【請求項２】
側板の切り取り部が、側板の上下全長に亘る二条の切り取り線と、側板の下辺に沿う切り取り線とからなる請求項１記載の箱入りポリ袋。
【請求項３】
前記ポリ袋の両側部分に、まちが付いていることを特徴とする請求項２または３記載の箱入りポリ袋。
【考案の詳細な説明】
【０００１】
【考案の属する技術分野】
この考案は、ポリ袋、特に、パン屋などの食品店のレジで、食品の袋詰めに使用する、比較的容量の小さいポリ袋に関する。
【０００２】
【従来の技術】
パン屋などでは、商品陳列棚に袋詰めしていない状態でパンなどの食品を陳列していることがある。
このような店舗では、顧客が好みのパンなどを選んで、レジに持ち込んだ場合に、袋詰めしていない食品をそのまま紙袋に入れて販売すると、食品の油や水分が紙に滲み込み、また非衛生的に見えるという問題があるため、パン屋などのレジには、小さいポリ袋が用意されており、パンなどの食品を一つずつポリ袋に入れ、それから紙袋にいれて販売することが多い。
したがって、このようなパン屋などのレジでは、一日に多数枚のポリ袋を使用するので、レジ近くに、多数枚のポリ袋を、袋の口を一定の方向に揃えて平積み状態に置いて、一枚一枚を取りやすく、袋詰め作業が行いやすいようしている。ところが、顧客の多い時間帯になると、頻繁にポリ袋を取って、袋詰めする作業を繰り返さなければならないので、ポリ袋を取る都度、綺麗に揃えて平積み状態に置いていたポリ袋も、崩れて乱雑になるという問題がある。
また、食品を入れるポリ袋を、常時、むき出しのまま、平積み状態で置いておくことは、ほこりが被って非衛生的であるという問題もある。
【０００３】
【考案が解決しようとする課題】
そこで、この考案は、ポリ袋を簡単に取り出せて、円滑に袋詰作業が行えると共に、衛生的な箱入りポリ袋の提供を課題とする。
【０００４】
【課題を解決するための手段】
上記の課題を解決するため、この考案は、多数枚のポリ袋を、口を揃えて積み重ねた状態で包装箱内に収容し、ポリ袋の口が対面する包装箱の側板と、この側板の上辺に連続する天板とに、袋取出口を形成する切り取り部を設け、側板の切り取り部を、少なくとも側板の上下全長に亘る二条の切り取り線によって形成した箱入りポリ袋としたのである。
【０００５】
このように構成したことにより、ポリ袋がずれ動くことなく、開口した袋取出口からポリ袋を簡単に引き出せる。さらに、引き出されたポリ袋の口部は作業者の手許側を向くことになるので、円滑に袋詰作業を行うことができる。
また、ポリ袋は、包装箱に収められており、塵埃が降りかからず、衛生的である。
【０００６】
【考案の実施の形態】
図１、図３ａ及び図３ｂに示すように、この考案の一実施の形態である箱入りポリ袋１は、天板２ａの一部と側板２ｂに渡って開口するように、袋取出口３を形成する切り取り線２ｆが形成された包装箱２に、まち付きポリ袋４が口部４ａを側板２ｂ方向に向けて平積み状態で収められたものである。
【０００７】
この箱入りポリ袋１に用いられる包装箱２は、図３ａのように、矩形の天板２ａの４辺にそれぞれ側板を連ねて設けると共に、一方の短手側の側板２ｂに底板２ｃを連ねて設け、長手側の側板２ｄの上辺と、底板２ｃの他方の短手側の側板と接する側とに糊代２ｈを設け、隣り合う側板同士を繋げる折り込み部２ｇを天板２ａの四隅に設けた板紙に、袋取出口３を形成する切り取り線２ｆを形成し、折り込み部２ｇに糊を塗布した後、図３ｂのように、これを折り込んで各側板を起立させて組立てたものである。
【０００８】
袋取出口３は、図２、図３ａに示す如く、天板２ａの一部と側板２ｂに渡って開口するように、箱体の底板２ｃと側板２ｂの下辺２ｅから、側板２ｂを天板２ａ方向に渡って、天板２ａの一部を通る切り取り線２ｆを矩形状に入れて袋取出口蓋部３ａを形成しておき、ユーザが、箱入りポリ袋１を最初に使用する際に、図１のように引き剥がして開口する。
切り取り線２ｆは、まち付きポリ袋４を引き出す時、円滑に指を差し入れできるように、天板２ａにも袋取出口３の開口が及ぶようにするとよい。
このようにすると、まち付きポリ袋４の残量が少なくなった時、袋取出口蓋部３ａを下辺２ｅで箱入りポリ袋１から切り取りできるので、邪魔になる袋取出口蓋を切り取ることで、まち付きポリ袋４の引き出しが容易となり、より円滑に袋詰作業を行うことができる。
【０００９】
まち付きポリ袋４は、平面形状が矩形で、両長手側にまちを設けたポリエチレン袋である。この口部４ａを袋取出口３の方向に向けて、図４のように、単に平積みして包装箱２に収納されている。
包装箱２に収められるポリ袋は、まちを備えないポリ袋でもよい。
まち付きポリ袋４を収納して、糊代２ｈに糊を塗布して底板２ｃを側板に固着すると、図２のように、箱入りポリ袋１が完成する。
【００１０】
ユーザは、図１、図５のように袋取出口蓋部３ａを引き剥がして袋取出口３を開口し、まち付きポリ袋４を引き出して袋詰に利用する。
また、長時間袋詰を行わない場合は、袋取出口蓋部３ａをテープで天板２ａに固定し、袋取出口３を閉口すれば、塵埃が積もらないので、中のまち付きポリ袋４は衛生的なものとなる。
【００１１】
【考案の効果】
この考案によれば、開口した袋取出口から簡単にポリ袋を引き出せる。さらに、引き出されたポリ袋の口部は作業者の手許側を向くことになるので、円滑に袋詰作業を行うことができる。
また、ポリ袋は、包装箱に収められており、袋取出口を閉口できるようにしたので、塵埃が降りかからず、衛生的である。
加えて、袋取出口蓋部は箱入りポリ袋から切り取りできるようにしたので、ポリ袋の残量が少なくなった時に、邪魔になる袋取出口蓋を切り取とることで、ポリ袋の引き出しが容易となり、より円滑に袋詰作業を行うことができる。
【図面の簡単な説明】
【図１】この考案の一実施の形態の箱入りポリ袋の使用状態を示す全体斜視図である。
【図２】図１の箱入りポリ袋の開口前を示す全体斜視図である。
【図３ａ】図１の箱入りポリ袋に用いる包装箱の展開図である。
【図３ｂ】図３ａの包装箱の組立図である。
【図４】図２の概略組立断面図である。
【図５】図１の箱入りポリ袋の使用状態を示す概略断面図である。
【符号の説明】
１　箱入りポリ袋
２　包装箱
２ａ　天板
２ｂ、２ｄ　側板
２ｃ　底板
２ｅ　側板の下辺
２ｆ　ミシン目状の切り取り線
２ｇ　折り込み部
２ｈ　糊代
３　袋取出口
３ａ　袋取出口蓋部
４　まち付きポリ袋
４ａ　ポリ袋の口部
【図１】
0003097114.tif 000003
【図２】
0003097114.tif 000004
【図３ａ】
0003097114.tif 000005
【図３ｂ】
0003097114.tif 000006
【図４】
0003097114.tif 000007
【図５】
0003097114.tif 000008